(57)【要約】  【課題】螺旋状に巻回した給水管を量水器筐体から負荷を与えることなく、容易に引き出すことができる量水器筐を提供する。  【解決手段】量水器筐体１の本体下部４には外周面の中間部の２ヶ所に先端面に給水管挿通孔を開口した給水管引き出し用膨出部16を形成する。給水管引き出し用膨出部16は、螺旋状に湾曲した給水管９，11の他端部を配設する断面凹弧状面の配設部を先端側に向って外方に順次に膨出して平面視略渦巻き状に形成する。量水器２に一端を接続した螺旋状の２本の給水管９，11の他端部を給水管引き出し用膨出部16に配設し、給水管の他端を給水管挿通孔に挿通して本体下部４の外周面からそれぞれ導出する。螺旋状の給水管は給水管の一端側に設けた引き上げ部12の引き出し操作で量水器２を上方に移動可能に収納する。  【選択図】図１
2005061068.tif 000002
【特許請求の範囲】
【請求項１】
量水器の流入側及び流出側給水管接続部にそれぞれ一端を接続し上下方向に螺旋状に巻回された２本の給水管の他端部を外周面からそれぞれ導出するとともにこの給水管の一端側に設けた引き上げ部の引き出し操作で前記量水器を上方に移動可能に収納する量水器筐であって、
上下面を開口した筒形状の本体上部と、
この本体上部の下端部を嵌合する拡径部を上部に形成するとともに外周面の中間部の２ヶ所に先端面に給水管挿通孔を開口した給水管引き出し用膨出部を有する本体下部と、
この本体下部の下面開口部を閉塞する本体底部と、
前記本体上部の上面開口部に嵌合されこの本体上部の外径に略一致する外径の枠体と、
この枠体に支持され地表面と略同一面に設置される開閉自在の蓋体と
を備え、
前記本体下部の給水管引き出し用膨出部は、螺旋状に湾曲した給水管の他端部を配設する断面凹弧状面の配設部を先端側に向って外方に順次に膨出して平面視略渦巻き状に形成したことを特徴とする量水器筐。
【請求項２】
本体下部と本体底部との少なくとも一方の外周面に、本体上部の外径よりも大径の鍔部を突設したことを特徴とする請求項１に記載の量水器筐。
【請求項３】
本体底部の外周面に突設した鍔部は、この本体底部の底面より上側に設けたことを特徴とする請求項１または２に記載の量水器筐。
【請求項４】
量水器筐体の外周に嵌合され、凍結深度以下においてこの量水器筐体の外周面の突出部に支持される浮上防止リングを設けたことを特徴とする請求項１ないし３のいずれかに記載の量水器筐。
【発明の詳細な説明】
【技術分野】
【０００１】
本発明は、寒冷地に敷設される水道において、螺旋状の給水管に接続した量水器を配設する量水器筐に関する。
【背景技術】
【０００２】
従来，寒冷地に敷設される水道の給水管は、地中深く埋設して地熱を利用することにより凍結防止を図っている。このため、給水管に接続した量水器も地中の深い位置に配設されるため、量水器に合わせた比較的内径の小さい大きさの量水器筐に収納されている量水器の点検、或いは，計量法による定期交換などの作業が困難であった。
【０００３】
そこで、量水器に接続する流入側及び流出側給水管を量水器筐内にて螺旋状に巻回することによりに、通常時は凍結深度より深い地中位置に量水器を位置させ、量水器の点検、交換などに際して、量水器を接続した螺旋状の給水管の伸張により上方に引き上げることができ、量水器の点検、交換などができるようにした量水器筐内における水道の給水管が知られている（例えば、特許文献１参照）。
【０００４】
しかしながら、螺旋状に巻回した流入側及び流出側給水管は、量水器筐内から外部に引き出すために、給水管は螺旋状に巻回する湾曲方向と反対方向に向けて略直角に湾曲させて量水器筐体の外周面に開口した給水管挿通孔に挿通し、さらに、量水器筐体の外側で配管方向に折り曲げることになり、螺旋状に巻回した給水管を量水器筐体内に収納し、この給水管を量水器筐体の給水管挿通孔に挿通して引き出す作業が容易ではなく、給水管を折り曲げるときに給水管が偏平になるなど断面が変形し易く、水道水の流量や水圧に悪影響を及ぼす問題があった。
【０００５】
そこで、量水器筐体の下端開口縁に開放された給水管挿通孔を量水器筐体の外周面に開口し、螺旋状に巻回した給水管の引き出し部を量水器筐体の下端開口縁に開放された給水管挿通孔に挿通し、この給水管を挿通した弾性板と硬質板とを量水器筐体に固定し、給水管を固定する方法が提案されている（特許文献２参照）。
【特許文献１】実公平１−４１８０７号公報（第２頁、第１図）
【特許文献２】実用新案登録第３０２０４７２号（第６頁−第12頁、図１−図３）
【発明の開示】
【発明が解決しようとする課題】
【０００６】
解決しようとする問題点は、特許文献２に示す量水器筐でも、給水管は量水器筐体の内側から外側に引き出すために、螺旋状に巻回する湾曲方向と反対方向に略直角に湾曲させて量水器筐体の外周面に開口した給水管挿通孔に挿通できるようにし、さらに、量水器筐体の外側で配管方向に折り曲げる必要があり、給水管は量水器筐体の給水管挿通孔の近傍でＳ字状に屈曲し、給水管は断面が変形し易く、水道水の流量や水圧に影響を及ぼす問題があった
本発明は、上記問題点に鑑みなされたもので、螺旋状に巻回した給水管を量水器筐体から負荷を与えることなく、容易に引き出すことができる量水器筐を提供するものである。
【課題を解決するための手段】
【０００７】
本発明の量水器筐は、量水器の流入側及び流出側給水管接続部にそれぞれ一端を接続し上下方向に螺旋状に巻回された２本の給水管の他端部を外周面からそれぞれ導出するとともにこの給水管の一端側に設けた引き上げ部の引き出し操作で前記量水器を上方に移動可能に収納する量水器筐であって、上下面を開口した筒形状の本体上部と、この本体上部の下端部を嵌合する拡径部を上部に形成するとともに外周面の中間部の２ヶ所に先端面に給水管挿通孔を開口した給水管引き出し用膨出部を有する本体下部と、この本体下部の下面開口部を閉塞する本体底部と、前記本体上部の上面開口部に嵌合されこの本体上部の外径に略一致する外径の枠体と、この枠体に支持され地表面と略同一面に設置される開閉自在の蓋体とを備え、前記本体下部の給水管引き出し用膨出部は、螺旋状に湾曲した給水管の他端部を配設する断面凹弧状面の配設部を先端側に向って外方に順次に膨出して平面視略渦巻き状に形成したものである。
【０００８】
そして、本発明の量水器筐は、本体下部内に流入側及び流出側の螺旋状の給水管を収納し、この螺旋状の給水管の下側となる他端側を、本体下部の断面凹弧状面の配設部を先端側に向って外方に順次に膨出して平面視略渦巻き状となっている本体下部の給水管引き出し用膨出部にそれぞれ配設し、この流入側及び流出側の給水管の他端を給水管引き出し用膨出部の先端面に開口している給水管挿通孔にそれぞれ挿通して本体下部の外側に引き出すことができる。
【０００９】
このとき、本体下部の給水管引き出し用膨出部は、断面凹弧状面の配設部を先端側に向って外方に膨出して平面視略渦巻き状となっているため、螺旋状に湾曲した給水管は、螺旋状の湾曲を渦巻き状に多少拡げるのみで、給水管に殆ど負荷を加えることなく、本体下部の外方に引き出すことができ、給水管は断面が変形することがないので、水道水の流量や水圧に影響を及ぼすことがない。
【００１０】
また、給水管を収納するとともに外部に導出した本体下部の下端部を本体底部にて閉塞し、また、本体下部の上端部に形成した拡径部に本体上部の下端部を嵌合し、さらに，この本体上部の上端部に枠体の下端部を嵌合することにより、量水器筐体が組立てられ、枠体に支持された蓋体にて量水器筐体の上側開口部は閉塞される。
【００１１】
また、枠体に支持されている蓋体を開き、給水管の一端側に設けた引き上げ部の引き出し操作で、給水管は螺旋状に巻回した部分が伸張し、両給水管の一端側は量水器筐体の上側開口部に臨ませられ、給水管を量水器の接続部に容易に接続することができ、量水器の点検，交換が容易にできる。
【００１２】
さらに、本発明の量水器筐は、本体下部と本体底部との少なくとも一方の外周面に、本体上部の外径よりも大径の鍔部を突設したものである。
【００１３】
そして、本体上部の外径よりも大径の鍔部によって、量水器筐体の凍上などによる浮上を防止でき、枠体に支持されている蓋体は地表面と略同一面の位置に保持される。
【００１４】
さらに、本発明の量水器筐は、本体底部の外周面に突設した鍔部は、この本体底部の底面より上側に設けたものである。
【００１５】
そして、本体底部の鍔部は底面より上側に突設することにより、量水器筐体を埋設する掘削孔の底部の掘り起こし量を少なくできる。
【００１６】
また、本発明の量水器筐は、量水器筐体の外周に嵌合され、凍結深度以下においてこの量水器筐体の外周面の突出部に支持される浮上防止リングを設けたものである。
【００１７】
そして、浮力または凍上による量水器筐体の上昇力を、量水器筐体と別体の浮上防止リングによる受圧面積の拡大によって抑制し、量水器筐体の凍上などによる浮上をより確実に防止でき、枠体に支持されている蓋体は地表面と略同一面の位置に保持される。
【発明の効果】
【００１８】
本発明の量水器筐は、螺旋状に巻回した給水管に殆ど負荷を加えることなく、量水器筐体の外方に引き出すことができ、給水管は断面が変形することがないので、水道水の流量や水圧に影響を及ぼすことがない。
【００１９】
また、本発明の量水器筐は、本体下部と本体底部との少なくとも一方の外周面に突設した鍔部により量水器筐体の凍上などによる浮上を防止でき、枠体に支持されている蓋体は地表面より突出することがない。
【００２０】
また、本発明の量水器筐は、量水器筐体を埋設する掘削孔の底部の掘り起こし量を少なくできる。
【００２１】
さらに、本発明の量水器筐は、量水器筐体の上昇力を、浮上防止リングによる受圧面積の拡大によって抑制し、量水器筐体の凍上などによる浮上をより確実に防止でき、枠体に支持されている蓋体は地表面と略同一面の位置に保持される。
【発明を実施するための最良の形態】
【００２２】
本発明の量水器筐の最良の一実施の形態を図面に基づいて説明する。
【００２３】
量水器筐体１は量水器２を内部に配設する円筒または多角筒形状に、本体上部３、本体下部４、本体底部５、枠体６及び蓋体７にて形成されている。
【００２４】
また、この量水器筐体１内において、量水器２の流入側の給水管接続部8aに流入側給水管９の一端が止水弁10を介して接続され、この量水器２の流出側の給水管接続部8bに流出側給水管11の一端が接続されている。この両給水管９，11はそれぞれ上下方向に螺旋状に巻回された状態で前記量水器筐体１内に収納され、この給水管９，11の他端部は前記量水器筐体１の外周面からそれぞれ導出されるようになっている。そして、この給水管９，11の一端側接続部8a，8bの近傍には、引き上げ部12の引き上げ操作杆13の両端部が給水管９，11の円周方向に回動可能に連結されている。そして、この引き上げ操作杆13の引き出し操作で螺旋状の給水管９，11が伸張することにより前記量水器２と止水弁10は上方に移動可能に収納されている。
【００２５】
次に、前記本体上部３は、上下面を開口した円筒または多角筒形状に塩化ビニル樹脂などの合成樹脂などにて成形され、この本体上部３は上面及び下面は開口されている。そして、この本体上部３の内径は前記量水器２及びこの量水器２に接続した止水弁10が直列状態で配設される大きさに形成されている。
【００２６】
また、前記本体下部４は、上下面を開口した円筒または多角筒形状に塩化ビニル樹脂などの合成樹脂などにて成形され、上部には前記本体上部３の下端部を嵌合接着する拡径部14が形成されている。この本体下部４の外周面の軸方向中間部には、２ヶ所に先端面に給水管挿通孔15を開口した給水管引き出し用膨出部16が形成されている。この給水管引き出し用膨出部16は断面凹弧状面の配設部17が先端側に向って順次に外方に膨出して平面視略渦巻き状に形成され、螺旋状に湾曲した給水管９，11は、螺旋状の湾曲を渦巻き状に多少拡げるのみで、給水管に殆ど負荷を加えることなく、本体下部４の外方に給水管挿通孔15から引き出すことができるようになっている。
【００２７】
さらに、前記本体底部５は塩化ビニル樹脂などの合成樹脂にて円筒または多角筒形状に成形され、前記本体下部４を内側に嵌合できる内径を有し、この本体底部５の内側に前記本体下部４の下端部を嵌合接着することにより、この本体下部４の下面開口部がこの本体底部５の下面を閉塞する一体の底面18にて閉塞される。この本体底部５の上面開口縁から底面18までの高さ寸法は、前記本体下部４の給水管引き出し用膨出部16から下端部までの寸法と略同一寸法となっている。また、この本体底部５の外周面の上端部には、前記本体上部３の外径よりも大径の鍔部19が一体に突設されている。
【００２８】
次に、前記枠体６塩化ビニル樹脂などの合成樹脂にて成形され、この枠体６の下端部には前記本体上部３の上面開口部の内側に嵌合接着される嵌合突部20が一体に形成され、この枠体６の外径は、前記本体上部３の外径と略一致する外径寸法となっている。また、この枠体６の内周面の高さ方向の中間部には支持縁21が環状に形成され、この支持縁21に地表面と略同一面に設置される蓋体７が開閉自在に支持されている。
【００２９】
また、前記引き上げ部12の引き上げ操作杆13と枠体６とは鎖、紐などの可撓性連結材22にて連結され、この可撓性連結材22を手繰り寄せることにより螺旋状に巻回された給水管９，11は伸張されてこの枠体６の上面開口部の近傍に前記引き上げ部12を位置させて把持できるようにする。
【００３０】
さらに、前記本体下部４の給水管引き出し用膨出部16の先端面に開口した給水管挿通孔15に，この給水管挿通孔15を密閉するとともにこの給水管挿通孔15に挿通した給水管９，11を固定するパッキン状の環状弾性体23を設ける。
【００３１】
また、前記引き上げ部12の引き上げ操作杆13に、前記本体上部３の内側形状により多少大きい断熱材24を取り付け、この断熱材24は圧縮された状態でこの本体上部３の内周面に密着し、断熱材24にて量水器２の凍結を防止するようになっている。なお、この断熱材24の両側部にはこの断熱材24を引き上げ操作杆13に装着するための溝部25が形成されている。
【００３２】
また、前記蓋体７は、この蓋体７の上面に回動自在に設けた係止体26の係止部27を前記枠体７の支持縁21に係脱自在に係止することにより妄りに外れることが防止される。
【００３３】
次に、この実施の形態の作用を説明する。
【００３４】
本体下部４内に流入側及び流出側の螺旋状の給水管９，11を収納し、この螺旋状の給水管９，11の下側となる他端側を、本体下部４の断面凹弧状面の配設部17を先端側に向って外方に膨出して平面視略渦巻き状となっている本体下部４の給水管引き出し用膨出部16にそれぞれ配設し、この流入側及び流出側の給水管９，11の他端を給水管引き出し用膨出部16の先端面に開口している給水管挿通孔15にそれぞれ挿通して本体下部４の外側に引き出すことができる。
【００３５】
このとき、本体下部４の給水管引き出し用膨出部16は、断面凹弧状面の配設部17が先端側に向って順次に外方に膨出して平面視略渦巻き状に形成されているため、螺旋状に湾曲した給水管９，11は、螺旋状の湾曲を渦巻き状に多少拡げるのみで、給水管９，11に殆ど負荷を加えることなく、本体下部４の外方に給水管挿通孔15から引き出すことができ、給水管９，11は断面形状が変形することなく、水道水の流量や水圧に影響を及ぼすことがない。
【００３６】
また、給水管９，11を収納するとともに外部に導出した本体下部４の下端部を本体底部５の内側に嵌合接着し、また、本体下部４の上端部に形成した拡径部14に本体上部３の下端部を嵌合接着し、さらに，この本体上部３の上端部に枠体６の下端部を嵌合接着することにより、量水器筐体１が組立てられる。
【００３７】
そして、枠体６に支持されている蓋体７を開き、給水管９，11の一端側に設けた引き上げ部12の引き出し操作で、給水管９，11は螺旋状に巻回した部分が伸張し、両給水管９，11の一端側は量水器筐体１の上側開口部に臨ませられ、量水器２の点検，交換が容易にできる。
【００３８】
また、本体底部５の外周面に突設され本体上部３の外径よりも大径の鍔部19により量水器筐体１は凍上などにより浮上すること、または地下水による浮上を防止でき、枠体６に支持されている蓋体７は地表面と略同一面の位置に保持される。
【００３９】
さらに、本体下部４の給水管引き出し用膨出部16の先端面に開口した給水管挿通孔15は環状弾性体23によってこの給水管挿通孔15が密閉されるとともにこの給水管挿通孔15に挿通した給水管9，11は固定され、給水管9，11は量水器筐体１の給水管引き出し用膨出部16に保持されるとともに給水管挿通孔15が閉塞され、地下水または土砂が量水器筐体１内に流入されることが防止される。
【００４０】
さらに、本体底部５の外周面に突設した鍔部19は、この本体底部５の底面より上側に設けることにより、量水器筐体１を埋設する掘削孔28の底部の掘り起こし量は本体底部５の底面18と同一高さに形成した場合に比し少なくできる。
【００４１】
また、前記実施の形態では、本体底部５に鍔部19を突設した構成としたが、本体下部４と本体底部５との少なくともいずれか一方または両方の外周面に、本体上部３の外径よりも大径の鍔部19を設け、この鍔部19により量水器筐体１が凍上などによって浮上することを防止できる。
【００４２】
次に、本発明の量水器筐の他の最良の一実施の形態を図４に基づいて説明する。
【００４３】
前記実施の形態では、本体下部４と本体底部５との少なくともいずれか一方または両方の外周面に本体上部３より径大の鍔部19を突設し、量水器筐体１が凍上などによって浮上することを防止する構成としたが、この実施の形態では、鍔部19に代えて量水器筐体１と別体の浮上防止リング30を設けた構成としたものである。
【００４４】
この浮上防止リング30は、廃棄プラスチックなどにて成形され、量水器筐体１の本体上部３、本体下部４および枠体６の各外径より径大にするとともに本体下部４の給水管引き出し用膨出部16より径小で、この本体上部３、本体下部４および枠体６の各外周に嵌合される内径を有する環状体にて形成されている。
【００４５】
この量水器筐体１の本体下部４に嵌合した浮上防止リング30は、凍結深度以下においてこの量水器筐体１の外周面に突出した突出部となる給水管引き出し用膨出部16に支持される。
【００４６】
また、この量水器筐体１の構成は、本体底部５の外周面に突設した鍔部19を設けない以外は、図１ないし図３に示す実施の形態の構成とまったく同一である。
【００４７】
そして、量水器筐体１の本体下部４に嵌合した浮上防止リング30は、凍上または地下水による浮力によって量水器筐体１に作用する上昇力を受圧面積の拡大によって抑制し、量水器筐体１の凍上などによる浮上をより確実に防止でき、枠体６に支持されている蓋体７は地表面と略同一面の位置に保持される。
【００４８】
また、他の作用は図１ないし図３に示す実施の形態とまったく同一である。
【００４９】
また、図４に示す実施の形態では、量水器筐体１の本体下部４に嵌合した浮上防止リング30は、この本体下部４の外周面に突出した給水管引き出し用膨出部16に支持する構成としたが、浮上防止リング30を支持する突出部は給水管引き出し用膨出部16に限られるものではなく、本体下部４の拡径部14の上端縁または本体底部５の上端縁など量水器筐体１の外周面に突設する突出部に支持する構成とすることもできる。
【図面の簡単な説明】
【００５０】
【図１】本発明の一実施の形態を示す量水器筐の一部を切り欠いた正面図である。
【図２】図１の断熱材を外した状態のII−II線部の横断平面図である。
【図３】同上本体下部と本体底部との正面図である。
【図４】本発明の他の実施の形態を示す量水器筐の一部を切り欠いた正面図である。
【符号の説明】
【００５１】
１    量水器筐体
２    量水器
３    本体上部
４    本体下部
５    本体底部
６    枠体
７    蓋体
8a    流入側給水管接続部
8b    流出側給水管接続部
９，11    給水管
12    引き上げ部
14    拡径部
15    給水管挿通孔
16    給水管引き出し用膨出部
17    配設部
19    鍔部
30    浮上防止リング
【図１】
2005061068.tif 000003
【図２】
2005061068.tif 000004
【図３】
2005061068.tif 000005
【図４】
2005061068.tif 000006